(57)【要約】【課題】    耐久性および操作性を高めるとともに、確実に空掛けが防止できる錠装置および建具を提供すること。【解決手段】障子２，３を閉じた状態においてハンドル１４がベース部材１３の凹部１３１から突出することで回動操作可能となり、障子２，３を閉じていない状態においては、ハンドル１４がベース部材１３の凹部１３１に没入して回動操作不能になる。従って、障子２，３を閉じなければクレセント錠１１を施錠操作することができないため、確実に空掛けを防止することができる。ハンドル１４がベース部材１３の凹部１３１に没入していれば、空掛け状態であることが容易に判別できるため、操作性を向上させることができるとともに、空掛け状態で無理にクレセント錠１１を操作してしまうこともないため、錠装置１０の破損を防止して耐久性を高めることができる。【選択図】  図１
2006152601.tif 000002
【特許請求の範囲】
【請求項１】
建具を構成する一方および他方の建具構成部材のうち、一方の建具構成部材に設けられるクレセント錠と、他方の建具構成部材に設けられる錠受けとを備えた錠装置であって、
前記クレセント錠は、前記一方の建具構成部材に固定されるベース部材と、このベース部材に対して出没自在に設けられた操作部と、この操作部に連結され、かつ前記ベース部材に軸支された回動軸と、この回動軸の回転に伴って回動可能かつ前記錠受けに係合可能に設けられた鎌錠と、前記回動軸に連結されたトリガと、前記操作部を前記ベース部材に向かって付勢する付勢手段とを有して構成され、
前記一方および他方の建具構成部材が閉じていない状態において、前記操作部が前記付勢手段の付勢力により前記ベース部材に没入して操作不能に構成され、
前記一方および他方の建具構成部材を閉じる際に前記トリガが前記錠受けまたは前記他方の建具構成部材に当接して移動され、このトリガの移動に伴って前記回動軸および操作部が前記付勢手段の付勢力に抗して前記ベース部材から突出し、当該一方および他方の建具構成部材を閉じた状態において、当該操作部が解錠状態と施錠状態との間を操作可能に構成されている錠装置。
【請求項２】
少なくとも一方が開閉可能に設けられた室内外一対の障子を備え、当該室内側障子の内召合せ框と室外側障子の外召合せ框とが重なって閉じるとともに、これら内外の召合せ框に設けられた錠装置によって施錠可能な建具であって、
前記錠装置は、前記内召合せ框に設けられたクレセント錠と、このクレセント錠が係合可能に前記外召合せ框に設けられた錠受けとを有して構成され、
前記クレセント錠は、前記内召合せ框に固定されたベース部材と、このベース部材に対して出没自在に設けられた操作部と、この操作部に連結され、かつ前記ベース部材に軸支された回動軸と、この回動軸の回転に伴って回動可能かつ前記錠受けに係合可能に設けられた鎌錠と、前記回動軸に連結されたトリガと、前記操作部を前記ベース部材に向かって付勢する付勢手段とを有して構成され、
前記室内外の障子が閉じていない状態において、前記操作部が前記付勢手段の付勢力により前記ベース部材に没入して操作不能に構成され、
前記室内外の障子を閉じる際に前記トリガが前記錠受けまたは前記外召合せ框に当接して移動され、このトリガの移動に伴って前記回動軸および操作部が前記付勢手段の付勢力に抗して前記ベース部材から突出し、当該室内外の障子が閉じた状態において、当該操作部が解錠状態と施錠状態との間を操作可能に構成されている建具。
【請求項３】
前記回動軸は、前記ベース部材を貫通して前記内召合せ框の内部に延びて設けられ、
前記トリガは、前記回動軸の先端側に連結されるとともに前記内召合せ框の室外側側面から室外側に向かって突出して設けられた突出片から構成されている請求項２に記載の建具。
【請求項４】
前記回動軸は、前記ベース部材を貫通して前記内召合せ框の内部に延びて設けられ、
前記トリガは、前記内召合せ框の室外側側面から室外側に向かって出没自在に設けられるとともに、前記錠受けまたは前記外召合せ框に当接して見込み方向室内側に移動される出没ピンから構成され、
前記出没ピンおよび前記回動軸のいずれか一方には、当該出没ピンの出没方向および当該回動軸の軸線に対して傾斜した長孔が形成され、他方には、前記長孔に挿通される連結ピンが設けられている請求項２に記載の建具。
【請求項５】
前記回動軸の先端側には、当該回動軸に対して回転不能かつ軸線に沿ってスライド自在に第２回動軸が連結されており、この第２回動軸に前記鎌錠が固定され、この鎌錠が前記内召合せ框の内部に設けられている請求項２から請求項４のいずれかに記載の建具。
【請求項６】
面材と、この面材の室内側または室外側に開閉可能に設けられた障子とを備え、当該面材の召合せ部と障子の召合せ框とが重なって閉じるとともに、これらの召合せ部および召合せ框に設けられた錠装置によって施錠可能な建具であって、
前記錠装置は、前記召合せ部または召合せ框に設けられたクレセント錠と、このクレセント錠が係合可能に前記召合せ框または召合せ部に設けられた錠受けとを有して構成され、
前記クレセント錠は、前記召合せ部または召合せ框に固定されたベース部材と、このベース部材に対して出没自在に設けられた操作部と、この操作部に連結され、かつ前記ベース部材に軸支された回動軸と、この回動軸の回転に伴って回動可能かつ前記錠受けに係合可能に設けられた鎌錠と、前記回動軸に連結されたトリガと、前記操作部を前記ベース部材に向かって付勢する付勢手段とを有して構成され、
前記障子が閉じていない状態において、前記操作部が前記付勢手段の付勢力により前記ベース部材に没入して操作不能に構成され、
前記障子を閉じる際に前記トリガが前記錠受けまたは前記面材の召合せ部に当接して移動され、このトリガの移動に伴って前記回動軸および操作部が前記付勢手段の付勢力に抗して前記ベース部材から突出し、当該障子が閉じた状態において、当該操作部が解錠状態と施錠状態との間を操作可能に構成されている建具。
【発明の詳細な説明】
【技術分野】
【０００１】
本発明は、錠装置および建具に関し、詳しくは、室内外一対の障子のうちの室内側障子の内召合せ框に設けられたクレセント錠と、室外側障子の外召合せ框に設けられた錠受けとを備えた錠装置、および錠装置によって施錠可能な建具に関する。
【背景技術】
【０００２】
従来、引違い窓や片引き窓等の建具において、召合せ框に設けたクレセント錠および錠受けからなる錠装置が一般的である。このクレセント錠は、通常、室内側障子の内召合せ框に回動可能に設けられた鎌錠が、室外側障子の外召合せ框に設けられた錠受けに係合して施錠できるようになっている。このような錠装置において、錠受けが係合可能な位置にない状態でクレセント錠の施錠操作をしてしまう、いわゆる空掛けを防止する機構が提案されている（例えば、特許文献１参照）。
【０００３】
特許文献１に記載されたクレセント錠では、錠受けが係合可能位置にあることを感知する感知部が設けられ、この感知部により空掛けが防止できるようになっている。すなわち、錠受けが係合可能位置になく感知部が錠受けに当接しない場合には、クレセント錠の回動が規制されて施錠操作が継続できず、錠受けが係合可能位置にあって感知部が錠受けに当接した場合には、感知部が移動されて施錠操作が継続できるようになっている。
【０００４】
【特許文献１】特開平９−１５８５８５号公報
【発明の開示】
【発明が解決しようとする課題】
【０００５】
しかしながら、従来の錠装置では、空掛け時に回動が規制された状態で無理にクレセント錠を回動させようとして部品が破損してしまう可能性があり、耐久性の点で問題があった。さらに、クレセント錠を回動させるまで空掛け状態であることが判別できず、操作性の点で問題があった。
【０００６】
本発明の目的は、耐久性および操作性を高めるとともに、確実に空掛けが防止できる錠装置および建具を提供することにある。
【課題を解決するための手段】
【０００７】
本発明の錠装置は、建具を構成する一方および他方の建具構成部材のうち、一方の建具構成部材に設けられるクレセント錠と、他方の建具構成部材に設けられる錠受けとを備えた錠装置であって、前記クレセント錠は、前記一方の建具構成部材に固定されるベース部材と、このベース部材に対して出没自在に設けられた操作部と、この操作部に連結され、かつ前記ベース部材に軸支された回動軸と、この回動軸の回転に伴って回動可能かつ前記錠受けに係合可能に設けられた鎌錠と、前記回動軸に連結されたトリガと、前記操作部を前記ベース部材に向かって付勢する付勢手段とを有して構成され、前記一方および他方の建具構成部材が閉じていない状態において、前記操作部が前記付勢手段の付勢力により前記ベース部材に没入して操作不能に構成され、前記一方および他方の建具構成部材を閉じる際に前記トリガが前記錠受けまたは前記他方の建具構成部材に当接して移動され、このトリガの移動に伴って前記回動軸および操作部が前記付勢手段の付勢力に抗して前記ベース部材から突出し、当該一方および他方の建具構成部材を閉じた状態において、当該操作部が解錠状態と施錠状態との間を操作可能に構成されていることを特徴とする。
【０００８】
ここで、一方および他方の建具構成部材としては、窓や出入り口等の建具を構成する部材であって、例えば、一対の障子や、障子および枠体、障子および面材（壁体）等が挙げられる。そして、一方および他方の建具構成部材のうちの少なくとも一方が開閉可能に構成され、他方と合わさったり重なったりすることで建具が閉じるように構成されたものである。さらに、開閉可能な障子としては、スライド移動可能なもの（例えば、引違い窓や片引き窓、上げ下げ窓の障子、引き戸）や、スイング移動可能なもの（例えば、ドアの扉体や開き窓の障子）等、適宜な開閉形式のものが利用可能である。
【０００９】
以上の錠装置によれば、建具を閉じた状態において操作部がベース部材から突出することで操作可能となり、建具を閉じていない状態においては、操作部がベース部材に没入して操作不能になる。従って、建具を閉じなければクレセント錠を施錠操作することができないため、確実に空掛けを防止することができる。そして、操作部がベース部材に没入していれば、空掛け状態であることが容易に判別できるため、操作性を向上させることができるとともに、空掛け状態で無理にクレセント錠を操作してしまうこともないため、錠装置の破損を防止して耐久性を高めることができる。
【００１０】
一方、本発明の建具は、少なくとも一方が開閉可能に設けられた室内外一対の障子を備え、当該室内側障子の内召合せ框と室外側障子の外召合せ框とが重なって閉じるとともに、これら内外の召合せ框に設けられた錠装置によって施錠可能な建具であって、前記錠装置は、前記内召合せ框に設けられたクレセント錠と、このクレセント錠が係合可能に前記外召合せ框に設けられた錠受けとを有して構成され、前記クレセント錠は、前記内召合せ框に固定されたベース部材と、このベース部材に対して出没自在に設けられた操作部と、この操作部に連結され、かつ前記ベース部材に軸支された回動軸と、この回動軸の回転に伴って回動可能かつ前記錠受けに係合可能に設けられた鎌錠と、前記回動軸に連結されたトリガと、前記操作部を前記ベース部材に向かって付勢する付勢手段とを有して構成され、前記室内外の障子が閉じていない状態において、前記操作部が前記付勢手段の付勢力により前記ベース部材に没入して操作不能に構成され、前記室内外の障子を閉じる際に前記トリガが前記錠受けまたは前記外召合せ框に当接して移動され、このトリガの移動に伴って前記回動軸および操作部が前記付勢手段の付勢力に抗して前記ベース部材から突出し、当該室内外の障子が閉じた状態において、当該操作部が解錠状態と施錠状態との間を操作可能に構成されていることを特徴とする。
ここで、本発明の建具としては、引違い窓や片引き窓、上げ下げ窓等の引違い形式のサッシ窓が好適である。
【００１１】
以上の建具によれば、前述と同様に、錠装置の耐久性および操作性を高めるとともに、確実に空掛けが防止できる。
【００１２】
この際、本発明の建具では、前記回動軸は、前記ベース部材を貫通して前記内召合せ框の内部に延びて設けられ、前記トリガは、前記回動軸の先端側に連結されるとともに前記内召合せ框の室外側側面から室外側に向かって突出して設けられた突出片から構成されていることが好ましい。
このような構成によれば、内召合せ框の室外側側面から室外側に向かって突出した突出片が、障子を閉じる際に錠受けまたは外召合せ框に当接するとともに、この突出片と連結された回動軸およびハンドルがベース部材から突出し、クレセント錠の施錠操作ができるようになる。従って、突出片でトリガを構成したことで、トリガの構造が簡単になって耐久性を高めることができる。さらに、内召合せ框の内部に延びた回動軸の先端側に突出片を設けたことで、トリガを目立たなくすることができ、建具の意匠性を良好にすることができる。
【００１３】
また、本発明の建具では、前記回動軸は、前記ベース部材を貫通して前記内召合せ框の内部に延びて設けられ、前記トリガは、前記内召合せ框の室外側側面から室外側に向かって出没自在に設けられるとともに、前記錠受けまたは前記外召合せ框に当接して見込み方向室内側に移動される出没ピンから構成され、前記出没ピンおよび前記回動軸のいずれか一方には、当該出没ピンの出没方向および当該回動軸の軸線に対して傾斜した長孔が形成され、他方には、前記長孔に挿通される連結ピンが設けられていることが好ましい。
このような構成によれば、障子を閉じる際に出没ピンが錠受けまたは外召合せ框に当接して内召合せ框の内方に没入することにより、長孔および連結ピンに案内された回動軸が移動されてハンドルがベース部材から突出し、クレセント錠の施錠操作ができるようになる。この際、出没ピンの先端および錠受けや外召合せ框の少なくとも一方に傾斜面を設けておけば、出没ピンの出没移動がスムーズにできる。従って、内召合せ框の室外側側面には、出没ピンが挿通可能な挿通孔を設けておけばよく、内召合せ框の加工手間を削減することができるとともに、トリガをさらに目立たなくすることができ、建具の意匠性を一層良好にすることができる。
【００１４】
さらに、本発明の建具では、前記回動軸の先端側には、当該回動軸に対して回転不能かつ軸線に沿ってスライド自在に第２回動軸が連結されており、この第２回動軸に前記鎌錠が固定され、この鎌錠が前記内召合せ框の内部に設けられていることが好ましい。
このような構成によれば、障子を閉じる際のトリガによる回動軸およびハンドルの出没移動に第２回動軸が連動せず、ハンドルの回動操作に第２回動軸が連動して鎌錠が回動されることになる。従って、内召合せ框内部における鎌錠の見付け位置を固定しておくことができるので、クレセント錠の構造を簡単にすることができる。また、鎌錠を内召合せ框の内部に設けたことで、鎌錠と錠受けとが内外の召合せ框の重なり部分で係合することとなるため、係合位置が室内外から見えなくなり、意匠性および防犯性を高めることができる。
【００１５】
また、本発明の建具は、面材と、この面材の室内側または室外側に開閉可能に設けられた障子とを備え、当該面材の召合せ部と障子の召合せ框とが重なって閉じるとともに、これらの召合せ部および召合せ框に設けられた錠装置によって施錠可能な建具であって、前記錠装置は、前記召合せ部または召合せ框に設けられたクレセント錠と、このクレセント錠が係合可能に前記召合せ框または召合せ部に設けられた錠受けとを有して構成され、前記クレセント錠は、前記召合せ部または召合せ框に固定されたベース部材と、このベース部材に対して出没自在に設けられた操作部と、この操作部に連結され、かつ前記ベース部材に軸支された回動軸と、この回動軸の回転に伴って回動可能かつ前記錠受けに係合可能に設けられた鎌錠と、前記回動軸に連結されたトリガと、前記操作部を前記ベース部材に向かって付勢する付勢手段とを有して構成され、前記障子が閉じていない状態において、前記操作部が前記付勢手段の付勢力により前記ベース部材に没入して操作不能に構成され、前記障子を閉じる際に前記トリガが前記錠受けまたは前記面材の召合せ部に当接して移動され、このトリガの移動に伴って前記回動軸および操作部が前記付勢手段の付勢力に抗して前記ベース部材から突出し、当該障子が閉じた状態において、当該操作部が解錠状態と施錠状態との間を操作可能に構成されているものでもよい。
【００１６】
このような構成によれば、面材（袖壁やパネル体）に沿って開閉可能な障子を備えた片引き窓や引き戸等が構成され、これらの片引き窓や引き戸等において、前述と同様の効果、すなわち錠装置の耐久性および操作性を高め、確実に空掛けが防止できるという効果を奏することができる。
【発明を実施するための最良の形態】
【００１７】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１８】
〔第１実施形態〕
図１は、本発明の第１実施形態に係る建具である引違い窓１の一部を示す横断面図である。図２(Ａ)，(Ｂ)は、引違い窓１の召合せ框に設けられた錠装置１０を示す側面図および縦断面図である。図３は、錠装置１０を示す斜視図である。図４は、錠装置１０の動作を示す横断面図である。図５(Ａ)，(Ｂ)は、錠装置１０の施錠操作を示す横断面図である。図６(Ａ)〜(Ｃ)は、錠装置１０の施錠操作を示す斜視図である。なお、図１は、引違い窓１の障子を閉じていない状態を示し、図４、５は、引違い窓１の障子を閉じた状態を示している。
【００１９】
図１〜３において、引違い窓１は、図示しない窓枠内部に開閉自在に支持された室内外一対の障子２，３を有して構成されている。障子２，３は、それぞれアルミ形材製の上下左右の框を四周框組みした内部に、ガラスパネル４を嵌め込んで構成されている。そして、引違い窓１は、室内外の障子２，３における左右の縦框のうちの召合せ部の縦框（内召合せ框５および外召合せ框６）が見込み方向に重なって閉じるようになっている。これら内外の召合せ框５，６には、障子２，３を施錠するための錠装置１０が設けられている。
【００２０】
錠装置１０は、内召合せ框５に設けられたクレセント錠１１と、外召合せ框６に設けられた錠受け１２とを有して構成されている。クレセント錠１１は、内召合せ框５の見込み面に固定されたベース部材１３と、このベース部材１３に対して出没自在に設けられた操作部としてのハンドル１４および回動軸１５と、この回動軸１５に連結された第２回動軸１６と、この第２回動軸１６に固定され錠受け１２に係合可能に設けられた鎌錠１７とを備えている。ベース部材１３は、内召合せ框５の見込み面と略フラットになるようにビス止め固定されており、このベース部材１３には、ハンドル１４を収納するために内召合せ框５の内方に向かって凹んだ凹部１３１と、この凹部１３１の底部側面に形成されて回動軸１５が挿通される軸受け孔１３２とが設けられている。
【００２１】
ハンドル１４は、ベース部材１３の凹部１３１にがたつきなく、かつベース部材１３表面から室内側に突出しないように収納されるとともに、凹部１３１に収納された状態で操作不能になっている。回動軸１５は、一端がハンドル１４に固定され、他端（先端）がベース部材１３の軸受け孔１３２を貫通して内召合せ框５の内部に延長されている。この回動軸１５は、円柱表面を平らに切り欠いた断面長円形状とされ、その内部に断面矩形状の角形中空部１５１を有して形成されている。そして、回動軸１５は、その円柱部分が軸受け孔１３２に軸支されるとともに、軸受け孔１３２にスライド自在に支持されている。
【００２２】
回動軸１５の角形中空部１５１には、角柱状の第２回動軸１６が挿通されており、この第２回動軸１６の先端は、回動軸１５の先端から突出して設けられるとともに、ベース部材１３に固定された軸受け部材１８に軸支されている。この軸受け部材１８は、板材から全体略コ字形に形成され、ベース部材１３の内部にビス止め固定されている。そして、鎌錠１７は、第２回動軸１６の先端部である回動軸１５と軸受け部材１８との間に固定されている。このような構成により、第２回動軸１６は、回動軸１５に対して相対回転不能かつ軸線に沿ってスライド自在に連結され、これらの回動軸１５および第２回動軸１６の回転に伴って鎌錠１７が回動可能になっている。
【００２３】
回動軸１５の先端部には、トリガである突出片１９が回動軸１５に対して相対回転可能かつ軸線に沿ってスライド移動不能に連結されている。この突出片１９は、内召合せ框５の室外側側面に形成された開口５Ａから室外側に向かって突出して設けられ、障子２，３を閉じた際に、外召合せ框６または錠受け１２に設けられた当接片１２Ａに当接可能になっている。そして、突出片１９には、付勢手段である板ばね２０が固定されており、この板ばね２０の先端は、ベース部材１３の内面に当接されている。つまり、突出片１９は、板ばね２０によってベース部材１３から離れる方向（図１中、右方向）に付勢されている。従って、突出片１９が連結された回動軸１５は、内召合せ框５の内部側に向かって付勢され、ハンドル１４は、ベース部材１３に向かって付勢されて凹部１３１内に没入するようになっている。
【００２４】
次に、錠装置１０の施錠操作について、図４〜図６に基づいて説明する。
先ず、図４に示すように、室内外の障子２，３を閉じて内外の召合せ框５，６を重ねると、当接片１２Ａに当接した突出片１９が板ばね２０の付勢力に抗してベース部材１３に向かって移動される。この突出片１９の移動に伴い、回動軸１５およびハンドル１４がベース部材１３から突出する（図４および図６(Ｂ)の状態）。この際、回動軸１５が第２回動軸１６に対してスライドすることで、第２回動軸１６および鎌錠１７は移動しないようになっている。このようにベース部材１３の凹部１３１から突出したハンドル１４は、図５および図６(Ｃ)に示すように、施錠方向（室内側上方）に回動操作可能となる。
【００２５】
次に、ハンドル１４を回動操作することにより、回動軸１５と、この回動軸１５に連動した第２回動軸１６とが回転され、この第２回動軸１６に固定された鎌錠１７が回動して錠受け１２に係合する（図５(Ｂ)および図６(Ｃ)の状態）。この際、突出片１９が回動軸１５に対して相対回転可能に連結されていることで、突出片１９は回動しないようになっている。
以上のように、クレセント錠１１を解錠状態から施錠状態に回動操作することで、障子２，３の施錠が完了する。また、施錠状態のクレセント錠１１のハンドル１４を前述の施錠方向と逆向きの解錠方向（室内側下方）に操作することで解錠できるようになっている。
【００２６】
このような本実施形態によれば、以下のような効果がある。
（１）すなわち、障子２，３を閉じた状態においてハンドル１４がベース部材１３の凹部１３１から突出することで回動操作可能となり、障子２，３を閉じていない状態においては、ハンドル１４がベース部材１３の凹部１３１に没入して回動操作不能になる。従って、障子２，３を閉じなければクレセント錠１１を施錠操作することができないため、確実に空掛けを防止することができる。
【００２７】
（２）そして、ハンドル１４がベース部材１３の凹部１３１に没入していれば、空掛け状態であることが容易に判別できるため、操作性を向上させることができるとともに、空掛け状態で無理にクレセント錠１１を操作してしまうこともないため、錠装置１０の破損を防止して耐久性を高めることができる。
【００２８】
（３）さらに、障子２，３を閉じていない状態においては、ハンドル１４がベース部材１３の凹部１３１に没入し、内召合せ框５の室内側に出っ張らないので、室内側障子２を全開した際の戸先側の戸当り（障子ストッパ）によるクリアランスを小さくして、有効開口部分の幅寸法を大きくすることができる。また、ハンドル１４が目立たないことで、障子２，３の意匠性を良好にすることができる。
【００２９】
（４）そして、内召合せ框５にクレセント錠１１の鎌錠１７を内蔵するとともに、外召合せ框６の室内側側面に錠受け１２を設けたことで、室内外の召合せ框５，６の重なり部分にて鎌錠１７と錠受け１２とが係合されるため、この係合部分が室内外から見えなくなり、意匠性および防犯性を高めることができる。
【００３０】
（５）また、内召合せ框５の開口５Ａから突出した突出片１９によってトリガを構成し、この突出片１９が外召合せ框６の当接片１２Ａに当接することでハンドル１４が突出するようにしたので、トリガの構造が簡単になって耐久性を高めることができる。
【００３１】
（６）さらに、内召合せ框５の内部に延びた回動軸１５の先端側に突出片１９を設けたことで、突出片１９や当接片１２Ａを目立たなくすることができ、この点でも障子２，３の意匠性を良好にすることができる。
【００３２】
（７）また、回動軸１５の角形中空部１５１に角柱状の第２回動軸１６が挿通されて連結されていることで、突出片１９による回動軸１５およびハンドル１４の出没移動に第２回動軸１６が連動せず、ハンドル１４の回動操作に第２回動軸１６が連動して鎌錠１７が回動されるように構成することができる。従って、内召合せ框５内部における鎌錠１７の見付け位置を固定しておくことができるので、クレセント錠１１の構造を簡単にすることができる。
【００３３】
〔第２実施形態〕
図７は、本発明の第２実施形態に係る錠装置１０Ａを示す横断面図である。図８は、錠装置１０Ａを示す縦断面図である。図９(Ａ)，(Ｂ)は、錠装置１０Ａの施錠操作を示す横断面図である。
本実施形態の錠装置１０Ａは、前記第１実施形態の錠装置１０と比較してトリガおよび付勢手段の構成が相違するものであって、その他の構成は略同様である。以下、相違点について詳しく説明する。
【００３４】
図７〜９において、錠装置１０Ａのクレセント錠１１Ａにおける回動軸１５の略中間位置には、トリガである出没ピン２１が連結されている。この出没ピン２１は、回動軸１５側に開口した側面略Ｕ字形に形成され、回動軸１５を上下から挟んで配置されている。そして、出没ピン２１は、内召合せ框５の開口５Ａから室外側に向かって出没自在に支持されるとともに、障子２，３を閉じた際に当接片１２Ｂに当接して見込み方向室内側に移動可能になっている。また、出没ピン２１の室外側先端部は、曲面状に形成されており、当接片１２Ｂには、出没ピン２１を室内側に案内するための傾斜面が形成されている。
【００３５】
出没ピン２１の上下面には、当該出没ピン２１の出没方向（見込み方向）および回動軸１５の軸線方向に対して傾斜した長孔２１１が形成されている。また、回動軸１５には、当該回動軸１５に対して相対回転可能かつ軸線に沿ってスライド移動不能に２つの連結ピン１５２が設けられ、これらの連結ピン１５２が出没ピン２１の長孔２１１に挿通されている。このような長孔２１１に連結ピン１５２が案内されることにより、出没ピン２１が室内側に移動された場合には、回動軸１５およびハンドル１４がベース部材１３から突出するようになっている。
【００３６】
また、回動軸１５における出没ピン２１よりもベース部材１３寄りの位置には、リング部材１５３が固定されており、このリング部材１５３とベース部材１３との間における回動軸１５の回りには、付勢手段であるコイルばね２２が設けられている。このコイルばね２２は、リング部材１５３およびベース部材１３を互いに離れる方向に押圧しており、このコイルばね２２の付勢力により、ハンドル１４および回動軸１５が内召合せ框５の内部側に向かって付勢されている。そして、回動軸１５がコイルばね２２で付勢されてベース部材１３に没入することで、連結ピン１５２および長孔２１１を介して出没ピン２１が室外側に付勢されるようになっている。
【００３７】
以上のような錠装置１０Ａにおいて、室内外の障子２，３を閉じて内外の召合せ框５，６を重ねると、当接片１２Ｂの傾斜面に当接した出没ピン２１が室内側に没入し、長孔２１１および連結ピン１５２を介して回動軸１５およびハンドル１４がベース部材１３から突出する。このようにベース部材１３から突出したハンドル１４が施錠方向（室内側上方）に回動操作可能となり、ハンドル１４を回動操作することで鎌錠１７が回動して錠受け１２に係合し（図９(Ｂ)の状態）、障子２，３の施錠が完了する。
【００３８】
このような本実施形態によれば、前述の（１）〜（４）、（７）の効果に加えて以下のような効果がある。
（８）すなわち、出没ピン２１の見込み方向への出没移動と、ハンドル１４および回動軸１５の見付け方向への出没移動とが連動されているので、前述の第１実施形態の突出片１９のように内召合せ框５の見付け方向にスライド移動させる必要がない。従って、内召合せ框５に形成する開口５Ａの見付け寸法を小さくすることができ、内召合せ框の加工手間を削減することができるとともに、トリガを目立たなくすることができ、障子２，３の意匠性を良好にすることができる。
【００３９】
〔第３実施形態〕
図１０は、本発明の第３実施形態に係る建具である片引き窓１Ａを示す横断面図である。
本実施形態の片引き窓１Ａは、前記第１実施形態の引違い窓１における室外側障子３に替えて袖壁７を有した内動片引き窓である点が相違するものであって、その他の構成（室内側障子２等）は略同様である。以下、相違点について詳しく説明する。
【００４０】
片引き窓１Ａは、面材としての袖壁７と、この袖壁７の室内側に開閉可能に設けられた室内側障子２とを備えて構成されている。そして、片引き窓１Ａは、袖壁９の召合せ部である開口側（図９中、右側）端部と、室内側障子２の内召合せ框５とが重なって閉じるようになっている。
なお、面材としては、袖壁７のような躯体に限られず、ガラスパネルや方立等を有したサッシやカーテンウォール等の窓でもよい。
【００４１】
錠装置１０は、前記第１実施形態と同様に、室内側障子２の内召合せ框５に設けられるクレセント錠１１と、袖壁９の召合せ部に設けられる錠受け１２とを有して構成されている。そして、室内側障子２が閉じていない状態においは、ハンドル１４がベース部材１３に没入して操作不能になり、これにより空掛けが防止できるようになっている。また、障子２を閉じると、当接片１２Ａに当接した突出片１９が移動されて回動軸１５およびハンドル１４がベース部材１３から突出し、この突出したハンドル１４が施錠方向に回動操作可能となる。
【００４２】
なお、本発明は、前記各実施形態に限定されるものではなく、本発明の目的を達成できる他の構成等を含み、以下に示すような変形等も本発明に含まれる。
例えば、前記第１、２実施形態においては、引違い窓１に錠装置１０，１０Ａを設けた例を示したが、本発明の建具はこのような引違い窓１に限られず、片引き窓や上げ下げ窓等であってもよい。片引き窓としては、外動片引き窓および内動片引き窓のいずれであってもよく、外動片引き窓の場合には、室内側障子が固定障子となってその縦骨が内召合せ框となり、内動片引き窓の場合には、室外側障子が固定障子となってその縦骨が外召合せ框となる。
【００４３】
また、前記第３実施形態においては、袖壁（面材）７の室内側に沿って開閉可能な室内側障子２を備えた内動タイプの片引き窓１Ａについて説明したが、本発明の建具は、面材の室外側に沿って開閉可能な室外側障子を備えた外動タイプの片引き窓や引き戸であってもよい。この際、錠装置１０，１０Ａのクレセント錠１１，１１Ａを面材の召合せ部に設け、錠受け１２や当接片１２Ａ，１２Ｂを室外側障子の召合せ框に設ければよい。
【００４４】
また、前記各実施形態では、内召合せ框５にほぼ内蔵する形でクレセント錠１１，１１Ａを設け、外召合せ框６や袖壁７の室内側側面に錠受け１２を設けたが、これに限らず、内召合せ框５の見込み面にクレセント錠のベース部材を突出した状態で取り付け、このベース部材に対してハンドルが出没可能に支持されるようにしてもよい。また、錠受け１２を外召合せ框６から室外側障子３のガラスパネル４側に突出させて設けてもよい。
【００４５】
また、前記実施形態では、施錠状態におけるハンドル１４がベース部材１３から突出した状態となっているが、施錠状態のハンドルをベース部材に没入させるように構成してもよい。すなわち、ハンドルと回動軸との間にプッシュロック可能な出没機構を設け、施錠時に押し込むことでハンドルがベース部材に収納され、もう一度押し込むことでハンドルがベース部材から突出するような構成が採用できる。このようにすれば、施錠状態においてもハンドルが突出しないことで、意匠性が良好になるとともに、室外からハンドルが見えにくくなることで、防犯性を向上させることができる。
【００４６】
さらに、前記各実施形態では、クレセント錠１１の操作部として回動操作可能なハンドル１４を用いたが、これに限らず、スライド操作可能なレバーやつまみをベース部材１３から出没可能に設けてもよい。この際、レバーやつまみのスライド操作を回動軸１５および鎌錠１７の回動に変換する機構としては、適宜なリンク機構等が採用可能である。
【００４７】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４８】
【図１】本発明の第１実施形態に係る建具の一部を示す横断面図である。
【図２】(Ａ)，(Ｂ)は、前記建具の召合せ框に設けられた錠装置を示す側面図および縦断面図である。
【図３】前記錠装置を示す斜視図である。
【図４】前記錠装置の動作を示す横断面図である。
【図５】(Ａ)，(Ｂ)は、前記錠装置の施錠操作を示す横断面図である。
【図６】(Ａ)〜(Ｃ)は、前記錠装置の施錠操作を示す斜視図である。
【図７】本発明の第２実施形態に係る錠装置を示す横断面図である。
【図８】前記錠装置を示す縦断面図である。
【図９】(Ａ)，(Ｂ)は、前記錠装置の施錠操作を示す横断面図である。
【図１０】本発明の第３実施形態に係る建具を示す横断面図である。
【符号の説明】
【００４９】
２，３…障子、５…内召合せ框、６…外召合せ框、７…面材である袖壁、１０，１０Ａ…錠装置、１１，１１Ａ…クレセント錠、１２…錠受け、１３…ベース部材、１４…操作部であるハンドル、１５…回動軸、１６…第２回動軸、１７…鎌錠、１９…トリガである突出片、２０…付勢手段である板ばね、２１…トリガである出没ピン、２２…付勢手段であるコイルばね、１５２…連結ピン、２１１…長孔。
【図１】
2006152601.tif 000003
【図２】
2006152601.tif 000004
【図３】
2006152601.tif 000005
【図４】
2006152601.tif 000006
【図５】
2006152601.tif 000007
【図６】
2006152601.tif 000008
【図７】
2006152601.tif 000009
【図８】
2006152601.tif 000010
【図９】
2006152601.tif 000011
【図１０】
2006152601.tif 000012